(57)【要約】【課題】  樹脂若しくは金属で形成されたビーズに枝糸を取り付ける溝を設けることにより、安価で枝糸の取り付け、取り外しが簡単に出来、しかも日本の伝統でもあり釣果もあがると言われる釣り針を付けた枝糸が回転する事なく上に弧を描くことを可能とする、幹糸と枝糸を結束させるビーズを提供する。【解決手段】  幹糸を通す貫通穴と直角方向に枝糸を締付ける溝がある事を特長とする。また溝の形状はビーズの中に向う方は狭まり、ビーズの外周に向っては溝が広がっていく事を特徴とする。溝を形成するラインはー方は水平であり、もう１つのラインが斜線となりビーズの中に向う方向で交わる事を特徴とする。【選択図】図１
2017051172.tif 000002
【特許請求の範囲】
【請求項１】
樹脂もしくは金属で成形され、たての中心に釣り糸の幹糸を通す貫通穴が幹糸の直径よりやや大きく設けられ、また横方向の中心部には、枝糸を締め込みビーズから枝糸が抜けない様に取りつけるための溝が設けられており、その溝を構成する２本のビーズ上のラインの１本は貫通穴に対して直角であり、もうー方のラインはビーズの中側の方向で貫通穴に対して直角のラインと交点を作り、ビーズの外周に向っては角度が開いてのびていく事を特徴とするビーズ。
【請求項２】
前記溝を形成するライン２本はビーズの外周線と交わるが、ライン２本はＲ形状で外周線とつながる事を特徴とするビーズ。
【請求項３】
前記溝を構成する斜めのラインはもうー方のラインと交わる時に枝糸の直径と同程度のＲ形状を作り交わる事を特徴とするビーズ。
【発明の詳細な説明】
【技術分野】
【０００１】  本発明は、エサ釣りやサビキ釣りなどで釣り針が付いた枝糸複数個を幹糸に取り付けた状態で釣りをする時に、海水の中などで幹糸と釣り針が付いた枝糸が絡みにくく、また夜間などでも簡単に釣り針の付いた枝糸をビーズから取り替え可能な、そして日本の古来からあるサビキ仕掛けの様に針の向きがー定で釣り針のついた枝糸が上に弧をえがく様にすることが出来るビーズに関するものである。
【背景技術】
【０００２】  従来、枝糸を使い復数個釣針を幹糸に取り付ける時は、幹糸と枝糸を８の字結びという方法で直結していた。しかし、欠点となっていたのが直接結ぶことにより潮の流れの影響や魚がかかった時、また、幹糸を出したり引く時に幹糸と枝糸がからまりやすいということであった。
それ以外にも複数個の中の１つの針が破損して使えなくなった時は、新たにその１本だけを８の字結びで幹糸に枝糸を結ばねばならないが、後から１本だけを交換する事が難しく、複数個ついている仕掛け全体を交換するむだがあった。
近年は、それらの欠点を解消する様な仕掛けビーズが開発されている。
【先行技術文献】
【特許文献】
【０００３】
【特許文献１】  特開２００１−３５２８７６
【発明の概要】
【発明が解決しようとする課題】
【０００４】  特許文献１に記載のビーズにおいては、枝糸をビーズから外に出た樹脂などで出来た管の中を通す事により幹糸と枝糸が絡みにくくなるという長所はあるものの、製造コストを見た時には、管とビーズを別々に作り樹脂ビーズであれば、その後に管をインサート成形加工しなければならず、複数個の釣り針を幹糸に取り付ける仕掛けなどに使われるとすれば、ビーズ１つの価額が高いものになっている事から複数個使用すると価格的な面で利用度が低くなる。また、枝糸は糸にコブを作り止めているだけなので、枝糸の先についている釣り針は向きが定まる事なく、日本古来からの伝統的な仕掛である枝糸が上に弧を描き、なおかつ、釣り針の向きがつねに上に向くように出来るという商品価値を見出す事は出来ない。近年は、図Ａの様なビーズだけの商品も市場に出ているも幹糸と枝糸を通す貫通穴が立体的にビーズの中で交差しており、樹脂ビーズであれば製品を作り出す金型において２方向からのスライド部を作らなければならず、１つの金型で６ヶ、８ヶなどの多数個取りが出来なく価額が高いものとなっている。また釣り針の付いた枝糸をビーズに止める方法は特許文献１と同じ方法であり、同じような欠点を持っている。【０００５】  本発明は、この様な事情に鑑みてなされたもので、その目的は安価なビーズの提供であり、そしてそのビーズに日本古来からの伝統と言える幹糸と枝糸を８の字結びで直結した時の様な針先が上向きになり枝糸が上に弧を描く機能を持たせるものである。
【課題を解決するための手段】
【０００６】  かかる目的を達成する為に特許文献１や現在市販されている様なコストがかかる構造でない構造、すなわちビーズに幹糸を通す１つの貫通穴だけをあける事を特徴とする。【０００７】  また、ピーズの外周には枝糸を締付け固定する溝を上下の中心あたりに設ける事を特徴とする。【０００８】  そしてその溝を図１のごとく設ける事により、日本古来からの伝統である釣り針の向きがー定方向に向き、枝糸が上に弧を描くようになる事を特徴とする。
【発明の効果】
【０００９】  本発明は、図１の様な形状のビーズであり幹糸を通す貫通穴だけをスライドで抜く金型構造で作れるので１度に６ヶ、８ヶと作る事が出来非常に安価なビーズを市場に提供する事が出来る。【００１０】  また、日本古来からの伝統である幹糸と枝糸を８の字結びで直結した時の見た目の良さと釣果が上がると言われる釣り針の向きがー定で枝糸が上に弧を描く特長をビーズを使って作り出す事が出来る。【００１１】  そして幹糸と枝糸を直結する事の短所である糸同士のからみであるが、本発明ではビーズは幹糸を中心に３６０°無理なく回転する事が出来るので糸のからみを大幅に削減する事が出来る。
【図面の簡単な説明】
【００１２】
【図１】本発明に係るビーズの形状を示す正面図
【図２】図１の断面図
【図３】本発明に係わるビーズの実施形態を示す正面図
【図４】図１における溝部の拡大図
【図５】図３における溝部拡大断面図
【図６】本発明に係わるビーズをつけた仕掛けの全体図
【図Ａ】幹糸と枝糸がビーズの貫通穴の中を通っている市販品ビーズ
【発明を実施するための形態】
【００１３】
2017051172.tif 000003
いており、ビーズ９に幹糸６を通した後ビーズ９の上と下に貫通穴より大きい糸コブ２を設けてやればビーズ９は回転方向にはフリーであるが幹糸６には固定されるようになる。
【００１４】  サビキ仕掛などは釣り人が独自に作るのではなく釣り具メーカーによって作られたものを買うのがー般的であったが、本発明の様なビーズを使えば釣り針の種類、釣り針の本数、枝糸の長さ、枝糸どうしの間隔など釣果に影響を与える要素を独自で簡単に決め作る事が出来るので、魚を釣るという楽しみだけでなく、たくさん魚が釣れる独自の仕掛けを工夫するという楽しみを本発明のビーズは与えてくれる。
【００１５】  そして、このビーズ９に釣り針８の付いた枝糸７をとりつけていくわけであるが、ビーズ９には枝糸７を取り付ける溝３が設けてある。
【００１６】  そして、図３の拡大図において枝糸７を取り付ける溝３の形状がわかりやすくなっているが、この形状により日本古来からの伝統である針が上を向き枝糸が上に弧を描くという事を作り出す事が出来る。
【００１７】  溝３について説明すると溝３の１つのラインＢ５は幹糸６が通る貫通穴１に直角に出ておりビーズ９の外周と交差する所は枝糸７に負荷がかかった時に枝糸の切れを防ぐためにＲ形状となっている。通常は海の中で釣りをする時は幹糸６がまっすぐ下にたれるので貫通穴１に対して直角という事は水平という事になる。
【００１８】  そしてもうー方の溝を形成するラインＡ４はラインＢ５に対して角度をつけてビーズ９の外周と交わる様に設ける事を特徴としている。ラインＡ４もビーズ９の外周部と交わる所にはＲ部を設け枝糸７の切れを防ぐようにする。
【００１９】  そしてラインＡ４とラインＢ５はビーズの中心に向う方向では交わる様になるが、その交点が貫通穴１に近くなりすぎると強度不足になるので交点と貫通穴１の距離を適度にはなしてやらなければならない。
【００２０】  ラインＡ４の角度はラインＢ５に対して９０度に近かくなるとビーズに締付けた枝糸７に負荷がかかった時に抜けてしまう恐れがあり、また、反対に角度が小さいと枝糸７を上に弧を描くように出すという機能を持たす事が出来ない。角度を色々変えたテストでは６０度前後の角度がー番いいように思われる。
【００２１】  枝糸７をより上方向に向けたいとしたらビーズの全周の１ヶ所だけをさらに角度をつけ、そこの部分に枝糸７の締め付け部をもってこればいい。
【００２２】  ラインＡ４とラインＢ５の交点には図３の拡大図の様にラインＡ４だけにＲをつけラインＢ５と交あわせてあり、釣り針９に糸を付ける時に引っ張れば引っ張る程締付けられるクリンチノットなどの方法でビーズ９に枝糸７を結べば枝糸の全周はラインＢ５と絶えず接触している様になる。
【００２３】  ラインＡ４の先端部のＲは枝糸７の直径と同じぐらいにしておけば溝３の全周に１回転する枝糸７は溝３の形状とクリンチノットなどの締め付けでラインＢ５のビーズの中心に向かって固定される。
【００２４】  この時、クリンチノットなどでビーズ９に枝糸７を固定させるわけであるが、結び目は、針のついた直線の糸に４から５回片側の糸の先端を巻くようにしてその先端を中にくぐらせる事により出来るもので枝糸７の直径が１ｍｍであれば結び目の直径は理論上３ｍｍになる。
【００２５】  そうすると溝３の中に全周を１周する直径１ｍｍの部分と直径３ｍｍの結び目の部分が出来るが、本発明の溝３の形状により全周に１周する枝糸７も結び目の部分も水平なラインＢ５に接する事になり、直径が大きくなった結び目の部分は必然的に上向きとなり、、そこから伸びる枝糸７は上に弧を描くようになる。クリンチノットでビーズ９に釣り針８を付けた枝糸７を引っ張り固定する時、先端の針の向きを決めて締め付ければ、日本の伝統ともいえるみた目が美くしく釣果があがるといわれる、針の向きがー定でなおかつ枝糸が上に弧を描く８の字むすびの良さを得る事が出来る。
【産業上の利用可能性】
【００２６】  本発明は安価なビーズであってしかも日本の伝統的な良い機能を持っており、また、釣りの初心者でも簡単に作る事が出来、漁師にも使用してもらう事ができるので釣りをする多くの人が利用できる。
【付号の説明】
【００２７】    １・・・・・・・・・・・貫通穴
２・・・・・・・・・・・糸コブ
３・・・・・・・・・・・溝
４・・・・・・・・・・・ラインＡ
５・・・・・・・・・・・ラインＢ
６・・・・・・・・・・・幹糸
７・・・・・・・・・・・枝糸
８・・・・・・・・・・・釣り針
９・・・・・・・・・・ビーズ
【図１】
2017051172.tif 000004
【図２】
2017051172.tif 000005
【図３】
2017051172.tif 000006
【図４】
2017051172.tif 000007
【図５】
2017051172.tif 000008
【図６】
2017051172.tif 000009
【図Ａ】
2017051172.tif 000010